【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
ユーザに関する指標を測定する測定装置から出力される測定データを取得する測定データ取得部と、
前記測定データに基づいて、予め設定された目標を達成するように前記指標が第１の期間に推移したか否かを判定する第１の判定部と、
前記ユーザの行動に関する行動データを取得する行動データ取得部と、
前記行動データに基づいて、予め設定された条件を満たすように前記ユーザが前記第１の期間の少なくとも一部を含む第２の期間に前記行動をしたか否かを判定する第２の判定部と、
前記目標を達成するように前記指標が前記第１の期間に推移しなかったと前記第１の判定部が判定し、かつ、前記条件を満たすように前記ユーザが前記第２の期間に前記行動をしなかったと前記第２の判定部が判定した場合に、前記条件を満たすように前記ユーザが前記第２の期間に前記行動をできなかった理由を前記ユーザに問い合わせる問合せ部と、
前記問合せ部による問い合わせに対して前記ユーザにより入力された回答に基づいて、前記目標を達成するための情報を前記ユーザに提示する情報提示部であって、前記回答に前記行動をできなかった理由が含まれる場合には、前記回答に含まれる前記理由を許容するか否かを判定し、前記回答に含まれる前記理由を許容する場合と前記回答に含まれる前記理由を許容しない場合とで異なる情報を前記ユーザに提示する情報提示部と、
を備える健康管理装置。
【請求項２】
ユーザに関する指標を測定する測定装置から出力される測定データを取得する測定データ取得部と、
前記測定データに基づいて、予め設定された目標を達成するように前記指標が第１の期間に推移したか否かを判定する第１の判定部と、
前記ユーザの行動に関する行動データを取得する行動データ取得部と、
前記行動データに基づいて、予め設定された条件を満たすように前記ユーザが前記第１の期間の少なくとも一部を含む第２の期間に前記行動をしたか否かを判定する第２の判定部と、
前記目標を達成するように前記指標が前記第１の期間に推移しなかったと前記第１の判定部が判定し、かつ、前記条件を満たすように前記ユーザが前記第２の期間に前記行動をしなかったと前記第２の判定部が判定した場合に、前記条件を満たすように前記ユーザが前記第２の期間に前記行動をできなかった理由を前記ユーザに問い合わせる問合せ部と、
前記問合せ部による問い合わせに対して前記ユーザにより入力された回答に基づいて、前記目標を達成するための情報を前記ユーザに提示する情報提示部と、
を備え、
前記目標は、目標値を備え、
前記第１の判定部は、
前記測定データに基づいて、前記第１の期間が、前記指標が前記目標値に到達していない第１段階と前記指標が前記目標値に到達している第２段階とのいずれに対応するかを決定し、
前記第１段階と前記第２段階とで異なる判定基準に従って、前記目標を達成するように前記指標が前記第１の期間に推移したか否かを判定する、健康管理装置。
【請求項３】
前記第１の判定部は、
前記第１段階では、前記指標が減少傾向を示す場合に、前記目標を達成するように前記指標が第１の期間に推移したと判定し、前記指標が減少傾向を示さない場合に、前記目標を達成するように前記指標が第１の期間に推移しなかったと判定し、
前記第２段階では、前記第１の期間における前記指標の平均値が前記目標値を下回る場合に、前記目標を達成するように前記指標が第１の期間に推移したと判定し、前記第１の期間における前記指標の平均値が前記目標値を超える場合に、前記目標を達成するように前記指標が第１の期間に推移しなかったと判定する、請求項２に記載の健康管理装置。
【請求項４】
前記第２の期間は、前記第１の期間の少なくとも一部と、前記第１の期間より前の日と、を含む、請求項１乃至３のいずれか１項に記載の健康管理装置。
【請求項５】
健康管理装置によって実行される健康管理方法であって、
ユーザに関する指標を測定する測定装置から出力される測定データを取得する過程と、
前記測定データに基づいて、予め設定された目標を達成するように前記指標が第１の期間に推移したか否かを判定する過程と、
前記ユーザの行動に関する行動データを取得する過程と、
前記行動データに基づいて、予め設定された条件を満たすように前記ユーザが前記第１の期間の少なくとも一部を含む第２の期間に前記行動をしたか否かを判定する過程と、
前記目標を達成するように前記指標が前記第１の期間に推移しなかったと判定され、かつ、前記条件を満たすように前記ユーザが前記第２の期間に前記行動をしなかったと判定された場合に、前記条件を満たすように前記ユーザが前記第２の期間に前記行動をできなかった理由を前記ユーザに問い合わせる過程と、
前記理由についての問い合わせに対して前記ユーザにより入力された回答に基づいて、前記目標を達成するための情報を前記ユーザに提示する過程と、
を備え、
前記目標を達成するための情報を前記ユーザに提示する過程は、前記回答に前記行動をできなかった理由が含まれる場合には、前記回答に含まれる前記理由を許容するか否かを判定し、前記回答に含まれる前記理由を許容する場合と前記回答に含まれる前記理由を許容しない場合とで異なる情報を前記ユーザに提示することを備える、健康管理方法。
【請求項６】
健康管理装置によって実行される健康管理方法であって、
ユーザに関する指標を測定する測定装置から出力される測定データを取得する過程と、
前記測定データに基づいて、予め設定された目標を達成するように前記指標が第１の期間に推移したか否かを判定する過程と、
前記ユーザの行動に関する行動データを取得する過程と、
前記行動データに基づいて、予め設定された条件を満たすように前記ユーザが前記第１の期間の少なくとも一部を含む第２の期間に前記行動をしたか否かを判定する過程と、
前記目標を達成するように前記指標が前記第１の期間に推移しなかったと判定され、かつ、前記条件を満たすように前記ユーザが前記第２の期間に前記行動をしなかったと判定された場合に、前記条件を満たすように前記ユーザが前記第２の期間に前記行動をできなかった理由を前記ユーザに問い合わせる過程と、
前記理由についての問い合わせに対して前記ユーザにより入力された回答に基づいて、前記目標を達成するための情報を前記ユーザに提示する過程と、
を備え、
前記目標は、目標値を備え、
前記予め設定された目標を達成するように前記指標が第１の期間に推移したか否かを判定する過程は、
前記測定データに基づいて、前記第１の期間が、前記指標が前記目標値に到達していない第１段階と前記指標が前記目標値に到達している第２段階とのいずれに対応するかを決定することと、
前記第１段階と前記第２段階とで異なる判定基準に従って、前記目標を達成するように前記指標が前記第１の期間に推移したか否かを判定することと、
を備える、健康管理方法。
【請求項７】
請求項１乃至４のいずれか１項に記載の健康管理装置が備える各部としてコンピュータを機能させるためのプログラム。
【手続補正２】
【補正対象書類名】明細書
【補正対象項目名】０００７
【補正方法】変更
【補正の内容】
【０００７】
一態様に係る健康管理装置は、ユーザに関する指標を測定する測定装置から出力される測定データを取得する測定データ取得部と、前記測定データに基づいて、予め設定された目標を達成するように前記指標が第１の期間に推移したか否かを判定する第１の判定部と、前記ユーザの行動に関する行動データを取得する行動データ取得部と、前記行動データに基づいて、予め設定された条件を満たすように前記ユーザが前記第１の期間の少なくとも一部を含む第２の期間に前記行動をしたか否かを判定する第２の判定部と、前記目標を達成するように前記指標が前記第１の期間に推移しなかったと前記第１の判定部が判定し、かつ、前記条件を満たすように前記ユーザが前記第２の期間に前記行動をしなかったと前記第２の判定部が判定した場合に、前記条件を満たすように前記ユーザが前記第２の期間に前記行動をできなかった理由を前記ユーザに問い合わせる問合せ部と、前記問合せ部による問い合わせに対して前記ユーザにより入力された回答に基づいて、前記目標を達成するための情報を前記ユーザに提示する情報提示部と、を備える。
【手続補正３】
【補正対象書類名】明細書
【補正対象項目名】００１３
【補正方法】変更
【補正の内容】
【００１３】
一態様では、前記第１の判定部は、前記第１段階では、前記指標が減少傾向を示す場合に、前記目標を達成するように前記指標が第１の期間に推移したと判定し、前記指標が減少傾向を示さない場合に、前記目標を達成するように前記指標が第１の期間に推移しなかったと判定し、前記第２段階では、前記第１の期間における前記指標の平均値が前記目標値を下回る場合に、前記目標を達成するように前記指標が第１の期間に推移したと判定し、前記第１の期間における前記指標の平均値が前記目標値を超える場合に、前記目標を達成するように前記指標が第１の期間に推移しなかったと判定する。
【手続補正４】
【補正対象書類名】明細書
【補正対象項目名】００４１
【補正方法】変更
【補正の内容】
【００４１】
（ソフトウェア構成）
図３を参照して、端末装置１００のソフトウェア構成の一例を説明する。図３は、端末装置１００のソフトウェア構成を例示する。図３の例では、端末装置１００は、入力部１５１、表示制御部１５２、測定データ取得部１５３、第１の判定部１５４、行動データ取得部１５５、第２の判定部１５６、問合せ部１５７、情報提示部１５８、測定データ記憶部１６１、行動データ記憶部１６２、及びデータベース１６３を備える。入力部１５１、表示制御部１５２、測定データ取得部１５３、第１の判定部１５４、行動データ取得部１５５、第２の判定部１５６、問合せ部１５７、及び情報提示部１５８は、端末装置１００の制御部１０１が記憶部１０５に記憶されたプログラムを実行することによって下記の処理を実行する。制御部１０１がプログラムを実行する際は、制御部１０１は、プログラムをＲＡＭ１０３に展開する。そして、制御部１０１は、ＲＡＭ１０３に展開されたプログラムをＣＰＵ１０２により解釈及び実行して、各構成要素を制御する。測定データ記憶部１６１、行動データ記憶部１６２、及びデータベース１６３は、記憶部１０５に設けられる。
【手続補正５】
【補正対象書類名】明細書
【補正対象項目名】００７２
【補正方法】変更
【補正の内容】
【００７２】
なお、図４に示した処理手順は例示に過ぎず、処理手順は適宜変更することが可能である。
【手続補正６】
【補正対象書類名】明細書
【補正対象項目名】００７５
【補正方法】変更
【補正の内容】
【００７５】
端末装置１００は、第１の期間が、体重が目標値に到達していない第１段階と体重が目標値に到達している第２段階とのいずれに対応するかを決定し、第１段階と前記第２段階とで異なる判定基準に従って、目標を達成するように体重が第１の期間に推移したか否かを判定する。例えば、第１段階では、端末装置１００は、体重が減少傾向を示す場合に、目標を達成するように体重が第１の期間に推移したと判定し、体重が減少傾向を示さない場合に、目標を達成するように体重が第１の期間に推移しなかったと判定する。例えば、第２段階では、端末装置１００は、第１の期間における体重の平均値が目標値を下回る場合に、目標を達成するように体重が第１の期間に推移したと判定し、第１の期間における体重の平均値が目標値を超える場合に、目標を達成するように体重が第１の期間に推移しなかったと判定する。それにより、上述した健康を管理する技術は、体重を落とす過程だけでなく、体重を維持する過程にも適用することができる。
【手続補正７】
【補正対象書類名】明細書
【補正対象項目名】００７７
【補正方法】変更
【補正の内容】
【００７７】
ユーザに関する指標は、センサにより測定可能なユーザの生体情報又は行動に関する情報であり、体重の他に、心拍数、脈拍数、心電図、脈波、睡眠時間などであってよい。ユーザの行動は、運動の他に、食事、薬の使用、飲酒、睡眠、仕事などであってよい。行動は、任意のセンサにより測定可能であってもよく、測定不可能なものであってもよい。一実施形態では、ユーザの生体情報に関連する指標が血圧であり、行動は薬の使用（具体的には降圧剤の服用）である。